(57)【要約】【課題】本発明は、優れた着用感と高い吸収性能とを兼ね備えた吸収性物品を提供するものである。【解決手段】本発明の吸収性物品（１）は、長手方向及び幅方向を有する縦長の吸収本体部（２）が、前記長手方向において、吸収性物品（１）の着用時に着用者の前方側に位置する前方側領域（Ａ１）と、吸収性物品（１）の着用時に着用者の後方側に位置する後方側領域（Ａ３）と、前記前方側領域（Ａ１）及び前記後方側領域（Ａ３）の間に位置し、吸収性物品（１）の着用時に着用者の排泄口に対応する排泄口対応領域（Ａ２）と、を有していて、前記後方側領域（Ａ３）の捩じりトルク値が、前記排泄口対応領域（Ａ２）の捩じりトルク値よりも小さく、且つ、８ｍＮよりも小さく構成されている。【選択図】図１
2017225902.tif 000002
【特許請求の範囲】
【請求項１】
長手方向及び幅方向を有する縦長の吸収本体部を備えた吸収性物品であって、
前記吸収本体部は、前記長手方向において、
吸収性物品の着用時に着用者の前方側に位置する前方側領域と、
吸収性物品の着用時に着用者の後方側に位置する後方側領域と、
前記前方側領域及び前記後方側領域の間に位置し、吸収性物品の着用時に着用者の排泄口に対応する排泄口対応領域と、
を有していて、
前記後方側領域の捩じりトルク値が、前記排泄口対応領域の捩じりトルク値よりも小さく、且つ、８ｍＮよりも小さい、
前記吸収性物品。
【請求項２】
前記吸収本体部は、前記前方側領域の捩じりトルク値が前記排泄口対応領域の捩じりトルク値と同じ又はそれ以上である、請求項１に記載の吸収性物品。
【請求項３】
前記吸収本体部は、非肌面側の表面に着衣固定用粘着部を有し、
前記着衣固定用粘着部は、前記幅方向に連続的又は断続的に延びる粘着剤が前記長手方向に沿って複数本並ぶように配置されている、請求項１又は２に記載の吸収性物品。
【請求項４】
前記吸収本体部は、前記後方側領域において、少なくとも長手方向に伸長可能な伸長領域を含み、前記排泄口対応領域において、前記吸収本体部の長手方向に延びる幅方向中央軸線を跨って延在し且つ前記伸長領域よりも低い伸長率を有する又は非伸長である低伸長領域を含む、請求項１〜３のいずれか一項に記載の吸収性物品。
【請求項５】
前記吸収本体部は、前記排泄口対応領域において、前記低伸長領域に対して前記吸収本体部の長手方向の両側に位置し且つ前記後方側領域の前記伸長領域から延びる伸長領域を有する、請求項４に記載の吸収性物品。
【請求項６】
前記吸収本体部は、前記前方側領域において、前記排泄口対応領域の前記低伸長領域から延びる低伸長領域を有する、請求項４又は５に記載の吸収性物品。
【請求項７】
前記吸収本体部は、前記後方側領域において、該後方側領域の前記伸長領域と前記吸収本体部の後方側端縁部との間に位置する低伸長領域を有する、請求項４〜６のいずれか一項に記載の吸収性物品。
【請求項８】
前記吸収本体部は、前記伸長領域の長手方向における伸長率が１０％以上である、請求項４〜７のいずれか一項に記載の吸収性物品。
【請求項９】
前記吸収本体部は、厚さ方向の肌面側に位置する液透過性の表面シートと、厚さ方向の非肌面側に位置する液不透過性の裏面シートと、これら各シートの間に位置し且つ長手方向において前記前方側領域から前記後方側領域に亘って延在する吸収体と、を備え、
前記吸収体は、前記伸長領域において前記吸収本体部の幅方向に延びる複数のスリット部を有する、請求項４〜８のいずれか一項に記載の吸収性物品。
【請求項１０】
前記複数のスリット部は、平面視にて、前記吸収本体部の長手方向に隣接するスリット部同士が前記長手方向において一部重複するように配置されている、請求項９に記載の吸収性物品。
【請求項１１】
前記吸収体は、前記伸長領域において、前記複数のスリット部が存在するスリット部存在領域と、スリット部が存在しないスリット部非存在領域と、を有し、
さらに、前記スリット部非存在領域は、平面視にて、前記吸収体の幅方向の一端から他端に向けて前方側に延びる第１非存在領域と、前記第１非存在領域と交差し且つ前記吸収体の幅方向の一端から他端に向けて後方側に延びる第２非存在領域とを有していて、
前記スリット部存在領域は、前記第１非存在領域と前記第２非存在領域とによって囲まれた領域に存在する、請求項９又は１０に記載の吸収性物品。
【請求項１２】
前記吸収体は、吸収性材料を含む吸収コアと、該吸収コアを囲繞する少なくとも１枚の伸長性シートと、を含み、
前記伸長性シートは、少なくとも前記長手方向に伸長可能である、請求項９〜１１のいずれか一項に記載の吸収性物品。
【請求項１３】
前記伸長性シートは不織布によって構成され、該不織布は、前記吸収本体部の幅方向に沿って配向した繊維を含む、請求項１２に記載の吸収性物品。
【請求項１４】
前記裏面シートは、前記伸長領域において前記吸収本体部の長手方向に延在する蛇腹構造を有する、請求項９〜１３のいずれか一項に記載の吸収性物品。
【発明の詳細な説明】
【技術分野】
【０００１】
本発明は、生理用ナプキン、パンティライナー、失禁パッド等の吸収性物品に関する。
【背景技術】
【０００２】
生理用ナプキン、パンティライナー、失禁パッド等の吸収性物品は、着用者の股間部に接触しながら着用されるものであるため、着用者に違和感や不快感を生じさせないように、着用者の身体形状に倣って変形しやすい（すなわち、フィット性に優れた）吸収性物品が検討されている。
【０００３】
そのような吸収性物品として、例えば、特許文献１には、吸収層を備えた吸収性物品であって、前記吸収層が複数のスリット又は局所的な伸長によって形成された伸展性ゾーンを有する、前記吸収性物品が提案されている。この特許文献１に開示された吸収性物品によれば、吸収性物品の着用者に対する身体適合性（すなわち、フィット性）を改善することができるとされている。
【先行技術文献】
【特許文献】
【０００４】
【特許文献１】特表２００７−５２３６６５号公報
【発明の概要】
【発明が解決しようとする課題】
【０００５】
この特許文献１に開示された吸収性物品は、着用者の動作態様に応じて伸展性ゾーンが配置されておらず、当該伸展性ゾーンは、吸収性物品の長手方向の前方側領域から長手方向の後方側領域に亘って設けられている。しかしながら、着用者に着用された吸収性物品は、着用者が歩行等の動作を行うと、着用者の臀部が左右交互に動くことによって、着用者の臀部に対応する長手方向の後方側領域において、吸収性物品の長手方向を軸として捩じれる方向に力が加わるため、上述の特許文献１のように伸展性ゾーンが配置されていると、前記後方側領域における捩じれ方向の力が着用者の排泄口に対応する（或いは接触する）領域にまで伝達されてしまい、それにより当該排泄口に対応する領域が変形して、着用者に異物感や違和感等を生じさせ、着用感を損ねる虞があった。
また、特許文献１に開示された吸収性物品のように、吸収体がスリット等によって伸長可能に構成されていると、当該吸収体の吸収性能（特に、スリット等によって伸長可能に構成された部分の吸収性能）は低下するのが通常である。ところが、特許文献１に開示された吸収性物品では、吸収体の吸収性能について具体的に考慮されていないため、着用者の動作態様や着用時間等によっては、吸収体の吸収性能が十分に発揮されず、着用者から排出された排泄液の漏洩や液戻り（リウェット）等が生じる虞があった。
【０００６】
そこで、本発明は、優れた着用感と高い吸収性能とを兼ね備えた吸収性物品を提供することを目的とする。
【課題を解決するための手段】
【０００７】
本発明の一態様（態様１）に係る吸収性物品は、長手方向及び幅方向を有する縦長の吸収本体部を備えた吸収性物品であって、前記吸収本体部は、前記長手方向において、吸収性物品の着用時に着用者の前方側に位置する前方側領域と、吸収性物品の着用時に着用者の後方側に位置する後方側領域と、前記前方側領域及び前記後方側領域の間に位置し、吸収性物品の着用時に着用者の排泄口に対応する排泄口対応領域と、を有していて、前記後方側領域の捩じりトルク値が、前記排泄口対応領域の捩じりトルク値よりも小さく、且つ、８ｍＮよりも小さく構成されている。
【０００８】
この態様１の吸収性物品は、前記吸収本体部において、着用時に着用者の臀部に対応する領域となる後方側領域の捩じりトルク値が小さく（８ｍＮよりも小さく）なるように構成されている（すなわち、前記後方側領域が吸収性物品の長手方向を軸として捩じれる方向に変形しやすく構成されている）ため、吸収性物品の着用者が歩行等の動作を行った際に、着用者の臀部が左右交互に動くことによって、吸収性物品の後方側領域において吸収性物品の長手方向を軸として吸収性物品が捩じれる方向（以下、単に「捩じれる方向」ということがある。）に力が加わったとしても、前記後方側領域が着用者の動きに合わせて前記捩じれる方向に変形することにより、当該後方側領域が着用者の肌面に密着した状態を維持することができる（すなわち、優れた着用感を得ることができる）とともに、上述の捩じれる方向の力が当該後方側領域の変形によって緩衝されて、前記排泄口対応領域に伝達されにくくなる。
一方、前記吸収本体部における排泄口対応領域は、捩じりトルク値が後方側領域よりも相対的に大きくなるように構成されているため、着用者の動作等による影響が比較的少ない当該排泄口対応領域においては、前記吸収本体部の形状を維持しやすく（すなわち、前記吸収本体部の形状が変形しにくく）、着用者から排出された排泄液を長時間に亘って安定的に吸収することができる。
以上の結果、本態様１の吸収性物品は、着用者への優れた密着性と高い吸収性能とを両立させることができる。
【０００９】
また、本発明の別の態様（態様２）では、前記態様１の吸収性物品において、前記吸収本体部は、前記前方側領域の捩じりトルク値が前記排泄口対応領域の捩じりトルク値と同じ又はそれ以上である。
【００１０】
この態様２の吸収性物品は、前記吸収本体部の前方側領域における捩じりトルク値が前記排泄口対応領域における捩じりトルク値と同等以上であり（すなわち、前記前方側領域が、前記排泄口対応領域と同様に或いはそれ以上に前記吸収本体部の形状を維持しやすくなっており）、前記吸収本体部の形状を維持しやすい領域（すなわち、前記吸収本部の形状が変形しにくい領域）をより広く確保することができるため、特に、吸収性物品の着用者の前方側に位置する前記前方側領域において、着用者の動きや下着の伸びなどの影響をほとんど受けることなく前記吸収本体部の形状を維持することができ、着用者から排出された排泄液をより安定的に、確実に吸収することができる。
【００１１】
更に本発明の別の態様（態様３）では、前記態様１又は２の吸収性物品において、前記吸収本体部は、非肌面側の表面に着衣固定用粘着部を有し、前記着衣固定用粘着部は、前記幅方向に連続的又は断続的に延びる粘着剤が前記長手方向に沿って複数本並ぶように配置されている。
【００１２】
この態様３の吸収性物品は、前記吸収本体部の非肌面側の表面に着衣固定用粘着部を有していて、着用者の下着等の着衣に固定して使用することができるため、着用者から排出された排泄液をより確実に、より安定的に吸収することができる。加えて、本態様３に係る吸収性物品は、前記着衣固定用粘着部が、前記幅方向に連続的又は断続的に延びる粘着剤が前記長手方向に沿って複数本並ぶように（すなわち、前記着衣固定用粘着部が、長手方向に沿って非連続に）配置されていて、前記着衣固定用粘着部が前記吸収本体部における上述の捩じれる方向の変形を阻害しないため、吸収性物品を上述のように着用者の下着に固定して使用したとしても、前記吸収本体部の後方側領域が、着用者の動きや下着の伸び等に合わせて上述の捩じれる方向に変形して、着用者の肌面に密着した状態を維持することができる（すなわち、優れた着用感を得ることができる）。
【００１３】
更に本発明の別の態様（態様４）では、前記態様１〜３のいずれかの吸収性物品において、前記吸収本体部は、前記後方側領域において、少なくとも長手方向に伸長可能な伸長領域を含み、前記排泄口対応領域において、前記吸収本体部の長手方向に延びる幅方向中央軸線を跨って延在し且つ前記伸長領域よりも低い伸長率を有する又は非伸長である低伸長領域を含む。
【００１４】
この態様４の吸収性物品は、着用時に着用者の臀部に対応する領域となる後方側領域が伸長領域を含むように構成されているため、着用者が歩行等の動作を行った際に、前記後方側領域における伸長領域が、着用者の動き（特に、臀部における左右交互の動き）や下着の伸び等に合わせて、上述の捩じれる方向の変形だけでなく、長手方向にも伸長変形することにより、前記吸収本体部の後方側領域を、より精度よく着用者の肌面に密着させることができる（すなわち、更に優れた着用感を得ることができる）。
一方において、前記吸収本体部の排泄口対応領域が低伸長領域（すなわち、吸収本体部の形状が変形しにくい領域）を含むように構成されているため、着用者の動作等による影響が比較的少ない当該領域においては、前記吸収本体部の形状を維持しやすく、着用者から排出された排泄液を長時間に亘ってより安定的に吸収することができる。
【００１５】
更に本発明の別の態様（態様５）では、前記態様４の吸収性物品において、前記吸収本体部は、前記排泄口対応領域において、前記低伸長領域に対して前記吸収本体部の長手方向の両側に位置し且つ前記後方側領域の前記伸長領域から延びる伸長領域を有する。
【００１６】
この態様５の吸収性物品は、前記吸収本体部が、前記排泄口対応領域における低伸長領域に対して前記吸収本体部の長手方向の両側に位置する、前記後方側領域から延びる伸長領域を有しているため、着用者の歩行等の動作によって前記吸収本体部の後方側領域から上述の捩じれる方向の力が伝達してきたり、或いは、着用者の鼠蹊部によって前記吸収本体部の幅方向に力が加わったりするような場合でも、前記排泄口対応領域における伸長領域が変形することによってこれらの力を緩衝することができる。それにより、本態様５の吸収性物品は、前記吸収本体部の排泄口対応領域における幅方向中央部分（すなわち、排泄口対応領域における低伸長領域）の形状がより維持されやすくなるため、着用者から排出された排泄液を更に安定的に且つ確実に吸収することができる。
【００１７】
更に本発明の別の態様（態様６）では、前記態様４又は５の吸収性物品において、前記吸収本体部は、前記前方側領域において、前記排泄口対応領域の前記低伸長領域から延びる低伸長領域を有する。
【００１８】
この態様６の吸収性物品は、前記吸収本体部の低伸長領域が前方側領域から排泄口対応領域に跨って存在しており、前記吸収本体部の形状が維持されやすい（すなわち、変形しにくい）領域を更に広く確保することができるため、特に、着用者の動作や下着の伸び等による影響が比較的少ない前記前方側領域においては、前記吸収本体部の形状を維持しやすく、着用者から排出された排泄液を長時間に亘ってより安定的に、より確実に吸収することができる。
【００１９】
更に本発明の別の態様（態様７）では、前記態様４〜６のいずれかの吸収性物品において、前記吸収本体部は、前記後方側領域において、該後方側領域の前記伸長領域と前記吸収本体部の後方側端縁部との間に位置する低伸長領域を有する。
【００２０】
この態様７の吸収性物品において、前記後方側領域内の、前記伸長領域と前記後方側端縁部との間の領域は、着用者の動作や下着の伸び等による影響が比較的少ない部分であり、このような領域に低伸長領域が配置されていると、吸収性物品として優れた強度及び吸収性能を確保することができる。
【００２１】
更に本発明の別の態様（態様８）では、前記態様４〜７のいずれかの吸収性物品において、前記吸収本体部は、前記伸長領域の長手方向における伸長率が１０％以上である。
【００２２】
この態様８の吸収性物品は、前記吸収本体部の前記伸長領域の長手方向における伸長率が１０％以上であり、当該伸長領域がより変形しやすくなっているため、上述の態様４〜７の吸収性物品における伸長領域の作用効果（特に、「着用者が歩行等の動作を行った際に、前記後方側領域における伸長領域が、着用者の動き（特に、臀部における左右交互の動き）や下着の伸び等に合わせて、上述の捩じれる方向の変形だけでなく、長手方向にも伸長変形することにより、前記吸収本体部の後方側領域を、より精度よく着用者の肌面に密着させることができる（すなわち、より優れた着用感を得ることができる）」という作用効果）を、より良好に且つより確実に発揮することができる。
【００２３】
更に本発明の別の態様（態様９）では、前記態様４〜８のいずれかの吸収性物品において、前記吸収本体部は、厚さ方向の肌面側に位置する液透過性の表面シートと、厚さ方向の非肌面側に位置する液不透過性の裏面シートと、これら各シートの間に位置し且つ長手方向において前記前方側領域から前記後方側領域に亘って延在する吸収体と、を備え、
前記吸収体は、前記伸長領域において前記吸収本体部の幅方向に延びる複数のスリット部を有する。
【００２４】
この態様９の吸収性物品は、前記吸収本体部を構成する吸収体が前記伸長領域において吸収本体部の幅方向に延びる複数のスリット部を有しているため、着用者が歩行等の動作を行った際に、前記伸長領域が、着用者の動き（特に、臀部における左右交互の動き）や下着の伸び等に合わせて、上述の捩じれる方向の変形だけでなく、長手方向にも伸長変形しやすく、前記吸収本体部の伸長領域を含む領域を、より精度よく且つより確実に着用者の肌面に密着させることができる。
さらに、前記吸収本体部の厚みの大部分を占める吸収体が複数のスリット部を有していることで、吸収体はもとより、前記吸収本体部に優れた柔軟性（特に、厚さ方向及び幅方向における柔軟性）を付与することができるため、かかる吸収体を含む態様９の吸収性物品は、吸収性物品として更に優れた身体適合性（すなわち、フィット性）を得ることができる。
【００２５】
更に本発明の別の態様（態様１０）では、前記態様９の吸収性物品において、前記複数のスリット部は、平面視にて、前記吸収本体部の長手方向に隣接するスリット部同士が前記長手方向において一部重複するように配置されている。
【００２６】
この態様１０の吸収性物品は、前記伸長領域における複数のスリット部が、平面視にて、前記吸収本体部の長手方向に隣接するスリット部同士が前記長手方向において一部重複するように配置されているため（換言すれば、前記伸長領域における複数のスリット部が、平面視にて、前記吸収本体部の長手方向に隣接するスリット部同士が前記長手方向において完全に重複しないように配置されているため）、前記伸長領域が着用者の動作等によって上述の捩じれる方向や長手方向に変形した際に、前記吸収体が、スリット部において引き裂かれて、長手方向に千切れるというようなことが起こりにくくなる。
また、前記吸収体において、前記スリット部が存在しない部分は、所定の吸収性能を発揮することができるため、複数のスリット部が前記伸長領域において上記のように配置されていると、所定の吸収性能を発揮することができる部分が前記伸長領域において偏在せず、当該伸長領域においても所定の吸収性能を発揮することができる。
したがって、本態様１０の吸収性物品は、前記伸長領域によって奏される上述の作用効果をより確実に発揮することができるとともに、当該伸長領域における吸収性能も安定して発揮することができる。
【００２７】
更に本発明の別の態様（態様１１）では、前記態様９又は１０の吸収性物品において、前記吸収体は、前記伸長領域において、前記複数のスリット部が存在するスリット部存在領域と、スリット部が存在しないスリット部非存在領域と、を有し、さらに、前記スリット部非存在領域は、平面視にて、前記吸収体の幅方向の一端から他端に向けて前方側に延びる第１非存在領域と、前記第１非存在領域と交差し且つ前記吸収体の幅方向の一端から他端に向けて後方側に延びる第２非存在領域とを有していて、前記スリット部存在領域は、前記第１非存在領域と前記第２非存在領域とによって囲まれた領域に存在する。
【００２８】
この態様１１の吸収性物品は、前記伸長領域において、吸収体が上記特定の２方向に延びるスリット部非存在領域を有することで、吸収体としての強度及び吸収性能を十分に確保しつつ、当該スリット部非存在領域に囲まれたスリット部存在領域を有することで、吸収体の伸長範囲をより長くすることができるため、着用者の動作等が大きいような場合でも、良好な吸収性能を維持しつつ、前記吸収本体部を確実に着用者の肌面に密着させることができる。
【００２９】
更に本発明の別の態様（態様１２）では、前記態様９〜１１のいずれかの吸収性物品において、前記吸収体は、吸収性材料を含む吸収コアと、該吸収コアを囲繞する少なくとも１枚の伸長性シートと、を含み、前記伸長性シートは、少なくとも前記長手方向に伸長可能である。
【００３０】
この態様１２の吸収性物品は、吸収体の吸収コアを囲繞する伸長性シートが、少なくとも吸収本体部の長手方向に伸長可能であり、前記吸収体が、着用者の動き（特に、臀部における左右交互の動き）や下着の伸び等に合わせて、上述の捩じれる方向や長手方向に更に変形しやすく構成されているため、前記吸収本体部の、特に前記伸長領域を、より精度よく着用者の肌面に密着させることができ、さらには、当該伸長領域が着用者の肌面に密着した状態を、より確実に維持することができる（すなわち、優れた着用感をより確実に得ることができる）。
また、前記吸収本体部の厚みの大部分を占める吸収体が、上述のように更に変形しやすく構成されていると、吸収体はもとより、前記吸収本体部に更に優れた柔軟性（特に、厚さ方向及び幅方向における柔軟性）を付与することができるため、吸収性物品として更に優れた身体適合性（すなわち、フィット性）を得ることができる。
【００３１】
更に本発明の別の態様（態様１３）では、前記態様１２の吸収性物品において、前記伸長性シートは不織布によって構成され、該不織布は、前記吸収本体部の幅方向に沿って配向した繊維を含む。
【００３２】
この態様１３の吸収性物品は、吸収体の吸収コアを囲繞する伸長性シートが、特定の不織布、すなわち、前記吸収本体部の幅方向に沿って配向した繊維を含む不織布によって構成されているため、当該伸長性シートの、前記吸収本体部の長手方向における伸長性を確保しつつ、着用者から排出された排泄液を、当該伸長性シートの構成繊維によって幅方向に拡散させながら前記吸収コアに吸収させることができる（すなわち、長手方向における伸長性を確保しつつ、優れた吸収性能（吸収効率）を得ることができる）。
【００３３】
更に本発明の別の態様（態様１４）では、前記態様９〜１３のいずれかの吸収性物品において、前記裏面シートは、前記伸長領域において前記吸収本体部の長手方向に延在する蛇腹構造を有する。
【００３４】
この態様１４の吸収性物品は、液不透過性の裏面シートが前記伸長領域において蛇腹構造を有しているため、裏面シートの液不透過性という特性によって着用者の排泄液に対する防漏性を確保しつつ、伸長可能な蛇腹構造によって前記伸長領域の長手方向における伸長性をより確実に得ることができる。
加えて、上述のように、吸収体に複数のスリット部が形成されていると、着用者から排出された排泄液が前記スリット部を介して前記裏面シートに到達しやすくなるが、本態様１４の吸収性物品は、前記裏面シートに到達した排泄液を蛇腹構造の幅方向に延びる溝部に沿って前記幅方向に拡散させることができる。これにより、着用者から排出された排泄液が前記スリット部を介して裏面シートに到達したとしても、当該排泄液を、前記裏面シートにおいて幅方向に拡散させつつ、前記吸収体の非肌面側表面の広範囲の箇所から吸収させることができる。
さらに、裏面シートが上述のような蛇腹構造を有していると、吸収性物品の厚さ方向において柔軟性やクッション性等を付与することができるため、当該吸収性物品の着用感を更に向上させることができる。
また、裏面シートが前記伸長領域において蛇腹構造を有していると、当該領域が伸長可能な部分であることを視認しやすいため、着用者や需要者等に対して、本態様１４の吸収性物品が伸長性や柔軟性等に特に優れた製品であることを認識させやすいという利点もある。
【発明の効果】
【００３５】
本発明によれば、優れた着用感と高い吸収性能とを兼ね備えた吸収性物品を提供することができる。
【図面の簡単な説明】
【００３６】
【図１】図１は、本発明の一実施形態に係る生理用ナプキン１を展開した状態で表面シート側から厚さ方向に見た平面図である。
【図２】図２は、本発明の一実施形態に係る生理用ナプキン１を展開した状態で裏面シート側から厚さ方向に見た平面図である。
【図３】図３は、本発明の一実施形態に係る生理用ナプキン１における図１の長手方向に延びる幅方向中央軸線ＣＬに沿った断面の端面図である。
【図４】図４は、本発明の一実施形態に係る生理用ナプキン１における図１のＩＶ−ＩＶ線に沿った断面の断面図である。
【図５】図５は、本発明の一実施形態に係る生理用ナプキン１が、長手方向を軸として捩じれる方向に捩じれた状態を模式的に示す斜視図である。
【図６】図６は、本発明の一実施形態に係る生理用ナプキン１に用いられる吸収体２２の伸長していない状態（自然状態）の平面図である。
【図７】図７は、本発明の一実施形態に係る生理用ナプキン１に用いられる吸収体２２の伸長状態の平面図である。
【図８】図８は、本発明の一実施形態に係る生理用ナプキン１の伸長状態における図１の長手方向に延びる幅方向中央軸線ＣＬに沿った断面の端面図である。
【図９】図９は、捩じりトルク値を測定する際に、測定用サンプルをトルク試験機にセットした状態を示す模式図である。
【発明を実施するための形態】
【００３７】
以下、本発明の吸収性物品の好適な実施形態について、図面を参照しながら詳細に説明する。なお、本明細書においては、特に断りのない限り、「展開した状態で水平面上に置いた対象物（例えば、吸収性物品、吸収本体部、吸収体等）を、垂直方向の上方側から対象物の厚さ方向に見ること」を、単に「平面視」という。
【００３８】
本明細書において用いられる各種方向等については、特に断りのない限り、以下のとおりである。
本明細書において、「幅方向Ｗ」は、「平面視における縦長の対象物の長さの短い方向（短手方向）」を指し、「長手方向Ｌ」は、「平面視における縦長の対象物の長さの長い方向」を指し、「厚さ方向Ｔ」は、「展開した状態で水平面上に置いた対象物に対して垂直方向」を指し、これらの幅方向Ｗ、長手方向Ｌ及び厚さ方向Ｔは、それぞれ互いに直交する関係にある。
また、本明細書では、「吸収性物品の長手方向Ｌにおいて、着用者が吸収性物品を着用した際に着用者の腹部に対して相対的に近位側となる一方側」を、「吸収性物品の前方側」といい、「吸収性物品の長手方向Ｌにおいて、着用者が吸収性物品を着用した際に着用者の腹部に対して相対的に遠位側（すなわち、着用者の背部に対して相対的に近位側）となる他方側」を、「吸収性物品の後方側」という。
さらに、本明細書では、「縦長の対象物（例えば、吸収性物品、吸収本体部、吸収体等）の幅方向Ｗにおいて、長手方向Ｌに延びる幅方向中央軸線ＣＬに対して相対的に近位側」を「幅方向における内方側」といい、「前記縦長の対象物の幅方向Ｗにおいて、前記幅方向中央軸線ＣＬに対して相対的に遠位側」を「幅方向における外方側」という。
そして、本明細書では、特に断りのない限り、吸収性物品の厚さ方向Ｔにおいて、「吸収性物品の着用時に、着用者の肌面に対して相対的に近位側」を「肌面側」といい、「吸収性物品の着用時に、着用者の肌面に対して相対的に遠位側」を「非肌面側」という。
【００３９】
図１は、本発明の一実施形態に係る生理用ナプキン１を展開した状態で表面シート側から厚さ方向Ｔに見た平面図であり、図２は、前記生理用ナプキン１を展開した状態で裏面シート側から厚さ方向Ｔに見た平面図である。なお、図１及び図２において、図面の上方側が、吸収性物品の前方側に相当し、図面の下方側が、吸収性物品の後方側に相当する。
また、図３は、前記生理用ナプキン１における、図１の長手方向Ｌに延びる幅方向中央軸線ＣＬに沿った断面の端面図であり、図４は、前記生理用ナプキン１における、図１のＩＶ−ＩＶ線に沿った断面の断面図である。
【００４０】
図１及び図２に示すように、本実施形態に係る生理用ナプキン１は、平面視にて、全体の外形形状が長手方向Ｌに長い縦長の形状を有していて、さらに、前記長手方向Ｌにおける中央部分の前方側寄りの外縁が、幅方向Ｗの外方側に向かって略台形状に突出した形状を有している。具体的には、生理用ナプキン１は、平面視にて、長手方向及び幅方向を有する、長手方向Ｌに長い縦長の吸収本体部２と、該吸収本体部２の長手方向Ｌにおける中央部分の前方側寄りの位置において、前記吸収本体部２の長手方向Ｌの両側に延在する、一対の略台形状のフラップ部３、３’と、該一対のフラップ部３、３’の各々に配置された、長手方向Ｌに延びる一対の着衣固定用の粘着部４、４’と、を備えている。
【００４１】
前記吸収本体部２は、図３及び図４に示すように、厚さ方向Ｔにおいて、肌面側に位置する液透過性の表面シート２１と、非肌面側に位置する液不透過性の裏面シート２３と、これら各シートの間に位置するとともに幅方向Ｗに延びる複数のスリット部Ｓを有する吸収体２２と、前記裏面シート２３の非肌面側の表面において前記幅方向Ｗに連続的又は断続的に延びる粘着剤９が前記長手方向Ｌに沿って複数本並ぶように（いわゆる、ストライプ状に）配置された着衣固定用粘着部と、を備えていて、着用者から排出された排泄液を吸収及び保持することができるように構成されている。一方、前記フラップ部３、３’は、図１、図２及び図４に示すように、厚さ方向Ｔにおいて、肌面側に位置し且つ前記吸収本体部２から幅方向Ｗに延出された表面シート２１と、非肌面側に位置し且つ前記吸収本体部２から幅方向Ｗに延出された裏面シート２３と、前記裏面シート２３の非肌面側の表面に配置された、長手方向Ｌに延びる着衣固定用の粘着部４、４’と、を備えている。
【００４２】
なお、生理用ナプキン１は、着用する際に、吸収本体部２を該吸収本体部２の非肌面側の表面に配置された着衣固定用粘着部によって着用者の着衣の肌面側の表面に固定した後、一対のフラップ部３、３’をそれぞれ前記着衣の非肌面側に折り返して、各フラップ部３、３’の非肌面側の表面に配置された粘着部４、４’によって前記着衣の非肌面側の表面に固定して使用するものであるため、前記一対のフラップ部３、３’の非肌面側の表面は、生理用ナプキン１の着用時には、着用者の肌面に対向する面となる。
【００４３】
前記吸収本体部２は、図１に示すように、平面視にて、生理用ナプキン１の着用時に着用者の前方側（腹部側）に位置する長手方向Ｌの前方側端縁部５と、生理用ナプキン１の着用時に着用者の後方側（背部側）に位置する長手方向Ｌの後方側端縁部６と、を備えていて、さらに、これらの端縁部の間には、前記長手方向Ｌにおいて、生理用ナプキン１の着用時に着用者の前方側に位置する前方側領域Ａ１と、生理用ナプキン１の着用時に着用者の後方側に位置する後方側領域Ａ３と、前記前方側領域Ａ１及び前記後方側領域Ａ３の間に位置し且つ生理用ナプキン１の着用時に着用者の排泄口に対応する排泄口対応領域Ａ２と、を有している。なお、前記吸収体２２は、図１〜図３に示すように、前記前方側領域Ａ１から前記後方側領域Ａ３に亘って延在するように配置されている。
そして、本実施形態に係る生理用ナプキン１では、図１に示すように、吸収本体部２の前記前方側端縁部５及び前記後方側端縁部６は、それぞれ略円弧状の平面視形状を有していて、上述の各領域Ａ１〜Ａ３は、前記前方側端縁部５及び前記後方側端縁部６の間において帯状乃至略矩形状に延在している。なお、本発明の吸収性物品において、上述の各端縁部の平面視形状及び各領域が延在する態様は、特に制限されず、それぞれ任意の平面視形状及び態様を採用することができる。
【００４４】
ここで、本明細書において、「排泄口対応領域」とは、着用者が吸収性物品を着用する際に、着用者の排泄口に対向する或いは当接する領域を指し、吸収性物品の種類、具体的には、着用者から排出される尿や便、経血などの排泄液の種類、着用者の年齢や性別、着用者の排泄口が対向する或いは当接する位置や領域、吸収層の構造などに応じて、吸収性物品の種類毎に適宜設定される領域である。
なお、前記排泄口対応領域は、通常、吸収性物品の長手方向Ｌの略中央部或いは前方側寄りの位置（例えば、吸収性物品が吸収本体部及びフラップ部から構成される吸収性物品の場合は、平面視にて、前記吸収本体部の、前記フラップ部と長手方向において重複する位置、吸収性物品が長手方向Ｌの中央部において内方側に括れた括れ部を有する吸収本体部から構成される吸収性物品の場合は、平面視にて、吸収本体部の括れた部分に対応する位置、また、吸収性物品が長円状の吸収本体部から構成される場合は、吸収本体部の幅方向Ｗに延びる長手方向中央軸線を跨ぐ位置等）において、吸収性物品の長手方向Ｌの全長の約１／３以上の長手方向長さと、吸収性物品の幅方向Ｗの全長の約１／３以上の幅方向長さを有するように設定されるが、例えば、吸収性物品が夜用のナプキンなどの場合は、前記長手方向長さが、前記吸収性物品の長手方向Ｌの全長の１／３未満となるように設定されることもある。
【００４５】
そして、本実施形態に係る生理用ナプキン１は、吸収本体部２における前記後方側領域Ａ３の捩じりトルク値が、前記排泄口対応領域Ａ２の捩じりトルク値よりも小さく、且つ、８ｍＮよりも小さく構成されている。
ここで、図５は、本発明の一実施形態に係る生理用ナプキン１が、長手方向Ｌを軸として捩じれる方向に捩じれた状態を模式的に示す斜視図である。
本実施形態の生理用ナプキン１のように、吸収本体部２において、後方側領域Ａ３の捩じりトルク値が小さく（８ｍＮよりも小さく）なるように構成されている（すなわち、前記後方側領域Ａ３が、図５に示すように、吸収性物品の長手方向を軸として捩じれる方向に変形しやすく構成されている）と、生理用ナプキン１（吸収性物品）の着用者が歩行等の動作を行った際に、着用者の臀部が左右交互に動くことによって、前記吸収本体部２の後方側領域Ａ３において上述の捩じれる方向に力が加わったとしても、前記後方側領域Ａ３が着用者の動きに合わせて上述の捩じれる方向に変形することにより、当該後方側領域Ａ３が着用者の肌面（特に、着用者の排泄口）に密着した状態を維持することができる（すなわち、優れた着用感を得ることができる）とともに、上述の捩じれる方向の力が当該後方側領域Ａ３の変形によって緩衝されて、前記排泄口対応領域Ａ２に伝達されにくくなる。
一方、前記吸収本体部２における排泄口対応領域Ａ２は、捩じりトルク値が後方側領域Ａ３よりも相対的に大きくなるように構成されているため、着用者の動作等による影響が比較的少ない当該排泄口対応領域Ａ２においては、前記吸収本体部２の形状を維持しやすく（すなわち、前記吸収本体部２の形状が変形しにくく）、着用者から排出された排泄液を長時間に亘って安定的に吸収することができる。
【００４６】
本明細書において「捩じりトルク値」は、縦長の対象物（すなわち、吸収本体部）の長手方向Ｌを軸として捩じる際のトルクの値を意味し、当該対象物の長手方向を軸として捩じれる方向の変形のしやすさ（すなわち、捩じれやすさ）を示す指標である。
この捩じりトルク値は、後述する＜捩じりトルク値の測定方法＞に従って測定することができる。
【００４７】
本発明の吸収性物品において、吸収本体部における後方側領域の捩じりトルク値は、８ｍＮよりも小さい値であれば特に限定されないが、上述の効果がより顕著に発揮されるという点から、当該捩じりトルク値は、７ｍＮよりも小さい値が特に好ましい。また、前記後方側領域の捩じりトルク値の下限値は、特に制限されないが、吸収本体部の強度の確保やヨレの防止等の観点から、当該捩じりトルク値は、例えば、１ｍＮ以上の値が好ましい。
【００４８】
また、本発明の吸収性物品において、吸収本体部は、前記前方側領域の捩じりトルク値が前記排泄口対応領域の捩じりトルク値と同じ又はそれ以上であることが好ましい。
吸収本体部の前方側領域における捩じりトルク値が、前記排泄口対応領域における捩じりトルク値と同等以上であると（すなわち、前記前方側領域が、前記排泄口対応領域と同様に或いはそれ以上に吸収本体部の形状を維持しやすくなっていると）、前記吸収本体部の形状を維持しやすい領域をより広く確保することができるため、特に、吸収性物品の着用者の前方側に位置する前記前方側領域において、吸収性物品の着用者の動きや下着の伸びなどの影響をほとんど受けることなく前記吸収本体部の形状を維持することができ、着用者から排出された排泄液をより安定的に、確実に吸収することができる。
【００４９】
そして、本実施形態に係る生理用ナプキン１は、上述したとおり、吸収本体部２における裏面シート２３の非肌面側の表面に、複数本の粘着剤９が配置されてなる着衣固定用粘着部を有しているため、生理用ナプキン１を着用者の下着等の着衣に固定して使用することができ、着用者から排出された排泄液をより確実に、より安定的に吸収することができるが、さらに、本実施形態に係る生理用ナプキン１は、前記着衣固定用粘着部において、幅方向Ｗに連続的又は断続的に延びる粘着剤９が長手方向Ｌに沿って複数本並ぶように（すなわち、前記着衣固定用粘着部が、長手方向Ｌに沿って非連続に）配置されていて、前記着衣固定用粘着部が吸収本体部２の後方側領域Ａ３における上述の捩じれる方向の変形を阻害しないため、前記生理用ナプキン１を上述のように着用者の下着に固定して使用したとしても、前記吸収本体部２の後方側領域Ａ３が、着用者の動きや下着の伸び等に合わせて上述の捩じれる方向に変形して、着用者の肌面に密着した状態を維持することができるようになっている。
【００５０】
なお、本発明において、着衣固定用粘着部の粘着剤は、吸収性物品を着用者の着衣（下着等）に固定し得るものであれば特に制限されず、例えば、スチレン系ポリマー等を含む任意の粘着剤を用いることができる。
【００５１】
また、本実施形態に係る生理用ナプキン１において、前記吸収本体部２は、図１に示すように、前記後方側領域Ａ３において少なくとも長手方向Ｌに伸長可能な伸長領域Ｅ３を含み、前記排泄口対応領域Ａ２において前記吸収本体部２の長手方向Ｌに延びる幅方向中央軸線ＣＬを跨って延在し且つ前記伸長領域Ｅ３よりも低い伸長率を有する又は非伸長である低伸長領域Ｎ２を含むように構成されている。
【００５２】
ここで、本明細書において、「伸長」とは、ＪＩＳ  Ｌ  １９１３：２０１０の「６．３引張強さ及び伸び率」に記載の方法に従って対象物を相反する所定の２方向に５．０Ｎの力で引っ張ったときに、破断することなく、自然状態（すなわち、伸びる前の状態）の長さ（１００％）に対して３％以上伸びること（すなわち、伸長後の長さが１０３％以上となるように伸びること）を意味する。
さらに、本明細書において、「伸長可能」とは、ＪＩＳ  Ｌ  １９１３：２０１０の「６．３引張強さ及び伸び率」に記載の方法に従って対象物を相反する所定の２方向に５．０Ｎの力で引っ張ったときに、破断することなく、自然状態（すなわち、伸びる前の状態）の対象物の長さ（１００％）に対して３％以上伸びる（すなわち、引張後の長さが１０３％以上となるように伸びる）ことができることをいう。したがって、本明細書において、（少なくとも長手方向に伸長可能である）「伸長領域」とは、ＪＩＳ  Ｌ  １９１３：２０１０の「６．３引張強さ及び伸び率」に記載の方法に従って対象領域を長手方向の相反する２方向に５．０Ｎの力で引っ張ったときに、破断することなく、自然状態（すなわち、伸びる前の状態）の領域の長さ（１００％）に対して３％以上伸びる領域（すなわち、伸長後の領域の長さが１０３％以上となるように伸びる領域）を意味する。
また、本明細書において、「伸長率」とは、ＪＩＳ  Ｌ  １９１３：２０１０の「６．３引張強さ及び伸び率」に記載の方法に従って対象物を相反する所定の２方向に５．０Ｎの力で引っ張ったときに、伸びた対象物の長さ（すなわち、伸長後の長さ）の自然状態（すなわち、伸びる前の状態）の長さに対する増加率（％）を意味し、具体的には、次式によって求めることができる。
伸長率（％）＝［（対象物の伸長後の長さ（ｍｍ））−（対象物の自然状態の長さ（ｍｍ））］／（対象物の自然状態の長さ（ｍｍ））×１００
そして、本明細書において、「非伸長」とは、ＪＩＳ  Ｌ  １９１３：２０１０の「６．３引張強さ及び伸び率」に記載の方法に従って対象物を相反する所定の２方向に５．０Ｎの力で引っ張ったときに、破断することなく、自然状態の対象物の長さに対して３％以上伸びないことを意味する。したがって、「非伸長」は、自然状態の対象物の長さに対して３％以上伸びずに破断することのほかに、自然状態の対象物の長さ（１００％）に対して３％未満伸びること（すなわち、伸長後の長さが１０３％未満となる「極小伸長」）も含まれる。
なお、本明細書において、「低伸長領域」は、「伸長領域」に対して相対的に伸長率の低い領域を指し、この低伸長領域には、相対的に伸長率の低い伸長領域のほか、非伸長領域も含まれる。
【００５３】
本実施形態に係る生理用ナプキン１は、着用時に着用者の臀部に対応する領域となる後方側領域Ａ３が伸長領域Ｅ３を含むように構成されているため、着用者が歩行等の動作を行った際に、前記後方側領域Ａ３における伸長領域Ｅ３が、着用者の動き（特に、臀部における左右交互の動き）や下着の伸び等に合わせて、上述の捩じれる方向の変形だけでなく、長手方向Ｌにも伸長変形することにより、前記吸収本体部２の後方側領域Ａ３を、より精度よく着用者の肌面に密着させることができる。
さらに、前記吸収本体部２の排泄口対応領域Ａ２が低伸長領域Ｎ２（すなわち、吸収本体部２の形状が変形しにくい領域）を含むように構成されているため、着用者の動作等による影響が比較的少ない当該領域Ａ２においては、前記吸収本体部２の形状を維持しやすく、着用者から排出された排泄液を長時間に亘ってより安定的に吸収することができる。
【００５４】
本発明の吸収性物品において、前記吸収本体部は、前記伸長領域の長手方向Ｌにおける伸長率が１０％以上であることが好ましい。
当該伸長率が１０％以上であると、上述の伸長領域がより変形しやすい状態にあるため、上述の伸長領域による作用効果、すなわち、着用者が歩行等の動作を行った際に、前記後方側領域における伸長領域が、着用者の動き（特に、臀部における左右交互の動き）や下着の伸び等に合わせて、上述の捩じれる方向の変形だけでなく、長手方向にも伸長変形することにより、前記吸収本体部の後方側領域を、より精度よく着用者の肌面に密着させることができるという作用効果を、より良好に且つより確実に発揮することができる。
なお、上述の伸長率が高いと、生理用ナプキンを貼り付ける下着（特に、ショーツ）の伸長率との差異が小さくなるため、生理用ナプキンを、着用者の動き及び下着の動きに対してより連動させやすくすることができる、すなわち、着用感に優れたものとすることができるという利点もある。特に、ショーツへの取付けやすさ、ショーツへの馴染みやすさという点では、ＪＩＳ  Ｌ  １９１３：２０１０の「６．３引張強さ及び伸び率」に記載の方法に従って対象物を相反する所定の２方向に０．５Ｎの力で引っ張ったときに、３％以上伸長できることが好ましい。
【００５５】
また、本実施形態に係る生理用ナプキン１において、前記排泄口対応領域Ａ２の低伸長領域Ｎ２は、図１、図２及び図４に示すように、平面視にて、前記幅方向中央軸線ＣＬの両側において前記吸収本体部２の長手方向Ｌに延在し且つ他の部分よりも高密度の底部を有する２本の線状凹部Ｐ、Ｐ’を備えている。なお、本実施形態においては、前記２本の線状凹部Ｐ、Ｐ’は、図１に示すように、前記前方側領域Ａ１から前記後方側領域Ａ３に亘って延在している。
このような線状凹部を備えることは、本発明の吸収性物品においては必須でないものの、吸収性物品がこのような２本の線状凹部を備えていると、着用者の動作によって吸収性物品の後方側領域に上述の捩じれる方向の力が加わったり、或いは、着用者の鼠蹊部によって吸収本体部の幅方向Ｗに力が加わったりするような場合でも、前記排泄口対応領域の特に中心部分となる領域（すなわち、前記２本の線状凹部によって挟まれた領域）においては、硬さの硬い線状凹部の剛性によって前記吸収本体部の形状がより維持されやすく、着用者から排出された経血等の排泄液をより安定的に、より着実に吸収することができる。さらに、前記２本の線状凹部によって挟まれた領域では、吸収本体部内の後述する吸収性材料が前記２本の線状凹部によって区画されていて、当該領域から移動しにくくなっているため、前記吸収本体部（特に、排泄口対応領域）の吸収性能を良好且つ安定的に発揮することができる。
【００５６】
また、本実施形態において、前記線状凹部Ｐ、Ｐ’は、前記吸収本体部２を構成する、表面シート２１、吸収体２２及び裏面シート２３をこの順に重ねてなる積層体を、加熱又は非加熱のエンボス加工等の任意の圧搾手段を用いて、前記表面シート２１の肌面側の表面から厚さ方向Ｔに圧搾することにより形成することができる。
【００５７】
本発明において、前記線状凹部の平面視形状は、特に制限されず、上述の実施形態のような曲線を組み合わせた形状（図１参照）のほか、直線状、破線状、ジグザグ状、幾何学形状、所定のデザイン形状等の任意の形状を採用することができる。
また、上述の実施形態では、前記２本の線状凹部Ｐ、Ｐ’は、平面視にて、前記幅方向中央軸線ＣＬの両側において、前記吸収本体部２の長手方向Ｌに沿って前記前方側領域Ａ１から前記後方側領域Ａ３に亘って左右対称に配置されているが、上述の作用効果を鑑みると、前記線状凹部は、前記幅方向中央軸線ＣＬの両側において少なくとも排泄口対応領域に延在していればよく、例えば、前記排泄口対応領域のみに延在していても、或いは、前記排泄口対応領域から前記前方側領域又は前記後方側領域に亘って延在していてもよく、さらには、前記幅方向中央軸線ＣＬの両側において合計３本以上配置されていてもよい。このような吸収本体部の剛性を高める線状凹部が複数本配置されていると、前記吸収本体部の形状がより一層維持されやすくなる。
なお、前記線状凹部は、低伸長領域の形状維持及び伸長領域の伸長性の確保等の観点から、後述する吸収体のスリット部と厚さ方向Ｔに重ならない位置（すなわち、伸長領域と重ならない位置）に配置されることが好ましい。
【００５８】
以下、本実施形態に係る生理用ナプキン１の伸長領域及び低伸長領域について、更に詳細に説明する。
本実施形態に係る生理用ナプキン１は、図１に示すように、前記吸収本体部２が、前記排泄口対応領域Ａ２において、前記低伸長領域Ｎ２に対して吸収本体部２の長手方向Ｌの両側に位置し且つ前記後方側領域Ａ３の前記伸長領域Ｅ３から延びる伸長領域Ｅ２を有するように構成されている。
かかる構成は、本発明の吸収性物品においては必須の構成ではないものの、このように吸収本体部２が、前記排泄口対応領域Ａ２における低伸長領域Ｎ２に対して前記吸収本体部２の長手方向Ｌの両側に位置する、前記後方側領域Ａ３から延びる伸長領域Ｅ２を有していると、着用者の歩行等の動作によって吸収本体部２の後方側領域Ａ３から上述の捩じれる方向の力が伝達してきたり、或いは、着用者の鼠蹊部によって吸収本体部２の幅方向Ｗに力が加わったりするような場合でも、前記排泄口対応領域Ａ２における伸長領域Ｅ２が変形することによってこれらの力を緩衝することができるため、かかる構成を備えた生理用ナプキン１は、吸収本体部２の排泄口対応領域Ａ２における幅方向中央部分（すなわち、排泄口対応領域Ａ２における低伸長領域Ｎ２）の形状がより維持されやすくなっている。これにより、生理用ナプキン１は、着用者から排出された排泄液を更に安定的に且つ確実に吸収することができる。
【００５９】
また、本実施形態に係る生理用ナプキン１は、図１に示すように、前記吸収本体部２が、前記前方側領域Ａ１において、前記排泄口対応領域Ａ２の前記低伸長領域Ｎ２から延びる低伸長領域Ｎ１を有するように構成されている。
かかる構成は、本発明の吸収性物品においては必須の構成ではないものの、このように吸収本体部２の低伸長領域Ｎ２が前方側領域Ａ１から排泄口対応領域Ａ２に跨って存在していると、前記吸収本体部２の形状が維持されやすい（すなわち、変形しにくい）領域を更に広く確保することができるため、かかる構成を備えた生理用ナプキン１は、特に、着用者の動作や下着の伸び等による影響が比較的少ない前記前方側領域Ａ１において、前記吸収本体部２の形状を維持しやすく、着用者から排出された排泄液を長時間に亘ってより安定的に、より確実に吸収することができる。
【００６０】
さらに、本実施形態に係る生理用ナプキン１は、図１に示すように、前記吸収本体部２が、前記後方側領域Ａ３において、該後方側領域Ａ３の前記伸長領域Ｅ３と前記吸収本体部２の後方側端縁部６との間に位置する低伸長領域Ｎ３を有するように構成されている。
かかる構成も、本発明の吸収性物品においては必須の構成ではないものの、前記後方側領域Ａ３内の、前記伸長領域Ｅ３と前記後方側端縁部６との間の領域は、着用者の動作や下着の伸び等による影響が比較的少ない部分であり、このような領域に低伸長領域Ｎ３が配置されていると、生理用ナプキン（吸収性物品）として優れた強度及び吸収性能を確保することができる。
【００６１】
本実施形態において、前記吸収本体部２の排泄口対応領域Ａ２及び後方側領域Ａ３における各伸長領域Ｅ２、Ｅ３は、図１、図３及び図４に示すように、前記吸収本体部２を構成する各種部材のうち厚みの最も厚い部材である吸収体２２の所定領域に、前記吸収体２２を厚さ方向Ｔに貫通し且つ幅方向Ｗに略直線状に延びる、複数のスリット部Ｓを設けることによって、形成されている。なお、本発明の吸収性物品において、前記伸長領域は、後方側領域の捩じりトルク値が小さく（８ｍＮよりも小さく）なるように構成されている限り、このような態様に限定されず、例えば、前記吸収本体部を構成する各種部材（例えば、吸収体等）の所定領域を伸長可能な材料によって構成するようにしてもよい。
【００６２】
本実施形態のように、吸収体２２が、前記排泄口対応領域Ａ２及び後方側領域Ａ３における各伸長領域Ｅ２、Ｅ３において前記吸収本体部２の幅方向Ｗに延びる複数のスリット部Ｓを有していると、着用者が歩行等の動作を行った際に、前記各伸長領域Ｅ２、Ｅ３が、着用者の動き（特に、臀部における左右交互の動き）や下着の伸び等に合わせて、上述の捩じれる方向の変形だけでなく、長手方向Ｌにも伸長変形しやすく、前記吸収本体部２の各伸長領域Ｅ２、Ｅ３を含む領域を、より精度よく且つより確実に着用者の肌面に密着させることができる。
さらに、前記吸収本体部２の厚みの大部分を占める吸収体２２が複数のスリット部Ｓを有していることで、吸収体２２はもとより、前記吸収本体部２に優れた柔軟性（特に、厚さ方向及び幅方向における柔軟性）を付与することができるため、かかる吸収体２２を含む生理用ナプキン１は、生理用ナプキン（吸収性物品）として更に優れた身体適合性（すなわち、フィット性）を得ることができる。
【００６３】
以下に、上述の複数のスリット部Ｓが設けられた吸収体２２について、図面を参照しながら更に詳細に説明する。
図６は、本実施形態に係る生理用ナプキン１に用いられる吸収体２２の伸長していない状態（自然状態）の平面図であり、図７は、生理用ナプキン１に用いられる吸収体２２の伸長状態の平面図である。また、図８は、本実施形態に係る生理用ナプキン１の伸長状態における図１の長手方向に延びる幅方向中央軸線ＣＬに沿った断面の端面図である。
【００６４】
本実施形態において、吸収体２２は、上述の複数のスリット部Ｓが形成されていること以外は、特に制限されず、吸収性物品の技術分野において公知の任意の吸収体を用いることができる。そのような吸収体としては、例えば、パルプ等の吸水性繊維及び／又は高吸収性ポリマーを含む吸収性材料を、少なくとも１枚のティッシュ等の液透過性の被覆シート（「コアラップシート」ということがある。）によって囲繞したものなどが挙げられる。
中でも、本発明の吸収性物品に用いる吸収体は、前記吸収性材料を含む吸収コアと、前記被覆シートとして前記吸収コアを囲繞する少なくとも１枚の伸長性シートと、を含んでいて、前記伸長性シートが、少なくとも前記吸収本体部の長手方向Ｌに伸長可能な液透過性のシートから構成されていることが好ましい。このように吸収体の吸収コアを囲繞する伸長性シートが、少なくとも吸収本体部の長手方向に伸長可能であると、前記吸収体が、着用者の動き（特に、臀部における左右交互の動き）や下着の伸び等に合わせて、上述の捩じれる方向や長手方向に更に変形しやすくなるため、前記吸収本体部の前記後方側領域（特に、前記伸長領域）を、より精度よく着用者の肌面に密着させることができ、さらには、当該後方側領域が着用者の肌面に密着した状態を、より確実に維持することができる（すなわち、優れた着用感をより確実に得ることができる）。
さらに、前記吸収本体部の厚みの大部分を占める吸収体が、このように更に変形しやすいように構成されていると、吸収体はもとより、前記吸収本体部に更に優れた柔軟性（特に、厚さ方向及び幅方向における柔軟性）を付与することができるため、かかる吸収体を備えた吸収性物品は、吸収性物品として更に優れた身体適合性（すなわち、フィット性）を得ることができる。
【００６５】
また、吸収体に用いる前記伸長性シートは、少なくとも一方向（すなわち、前記吸収本体部の長手方向Ｌ）に伸長可能であれば特に制限されず、例えば、不織布（ティッシュを含む。）、織布、多孔性樹脂シート等の任意の液透過性のシートを採用することができるが、前記伸長性シートは、柔軟性や吸水性等の観点から不織布によって構成されたものが好ましく、吸収本体部の幅方向に沿って配向した繊維を含む不織布によって構成されたものが更に好ましい。
吸収体の吸収コアを囲繞する伸長性シートが、このような不織布（すなわち、前記吸収本体部の幅方向に沿って配向した繊維を含む不織布）によって構成されていると、当該伸長性シートの、前記吸収本体部の長手方向における伸長性を確保しつつ、着用者から排出された排泄液を、当該伸長性シートの構成繊維によって幅方向に拡散させながら前記吸収コアに吸収させることができる（すなわち、長手方向における伸長性を確保しつつ、優れた吸収性能（吸収効率）を得ることができる）。
【００６６】
なお、本発明の吸収性物品において、吸収体の厚みは、特に制限されず、吸収性物品の種類や用途、着用対象者の種類等を考慮した任意の厚みを採用することができる。そのような厚みとしては、例えば、０．１ｍｍ〜１０ｍｍの範囲内の厚みが挙げられるが、吸収性物品の薄型化や柔軟性、フィット性等の観点から、０．３ｍｍ〜３ｍｍの範囲内の厚みが好ましい。
【００６７】
本実施形態における吸収体２２は、図６に示すように、前記複数のスリット部Ｓが、平面視にて、前記吸収本体部２の長手方向Ｌに隣接するスリット部Ｓ同士が前記長手方向Ｌにおいて一部重複するように配置されている（換言すれば、複数のスリット部Ｓが、平面視にて、前記吸収本体部２の長手方向Ｌに隣接するスリット部Ｓ同士が前記長手方向Ｌにおいて完全に重複しないように配置されている）。
複数のスリット部Ｓがこのように配置されていると、前記複数のスリット部Ｓにより形成される伸長領域Ｅ２、Ｅ３が着用者の動作等によって上述の捩じれる方向や長手方向Ｌに変形した際に、前記吸収体２２が、スリット部Ｓにおいて引き裂かれて、長手方向Ｌに千切れるというようなことが起こりにくくなる。
また、吸収体２２において、前記スリット部Ｓが存在しない部分は、所定の吸収性能を発揮することができるため、複数のスリット部Ｓが前記伸長領域Ｅ２、Ｅ３において上記のように配置されていると、所定の吸収性能を発揮することができる部分が前記伸長領域Ｅ２、Ｅ３において偏在せず、当該領域においても所定の吸収性能を発揮することができる。
したがって、かかる吸収体２２を備えた生理用ナプキン１は、前記伸長領域Ｅ２、Ｅ３によって奏される上述の作用効果をより確実に発揮することができるとともに、当該伸長領域Ｅ２、Ｅ３における吸収性能も安定して発揮することができる。
【００６８】
また、本実施形態に係る生理用ナプキン１において、前記吸収体２２における複数のスリット部Ｓは、図６に示すように、前記伸長領域Ｅ２、Ｅ３において所定数のスリット部Ｓが存在する、複数のスリット部存在領域ＡＳと、前記伸長領域Ｅ２、Ｅ３においてスリット部Ｓが存在しないスリット部非存在領域ＡＮと、を有するように配置されていて、さらに、前記スリット部非存在領域ＡＮは、平面視にて、前記吸収体２２の幅方向Ｗの一端（図６における左側の一端）から他端（図６における右側の一端）に向けて前方側（図６における上方側）に延びる第１非存在領域ＡＮ１と、前記第１非存在領域ＡＮ１と交差し且つ前記吸収体２２の幅方向Ｗの一端（図６における左側の一端）から他端（図６における右側の一端）に向けて後方側（図６における下方側）に延びる第２非存在領域ＡＮ２とから構成されており、前記スリット部存在領域ＡＳは、前記第１非存在領域ＡＮ１と前記第２非存在領域ＡＮ２とによって囲まれた領域、或いは前記第１非存在領域ＡＮ１と前記第２非存在領域ＡＮ２と前記吸収体２２の長手方向Ｌに延びる幅方向端縁ｅ１、ｅ２とよって囲まれた領域に存在している。
【００６９】
複数のスリット部Ｓをこのように配置すると、吸収体２２が上記特定の２方向に延びるスリット部非存在領域ＡＮ（すなわち、第１非存在領域ＡＮ１と第２非存在領域ＡＮ２）を有することで、吸収体としての強度及び吸収性能を十分に確保しつつ、前記第１非存在領域ＡＮ１と前記第２非存在領域ＡＮ２とによって囲まれたスリット部存在領域ＡＳを有することで、図７及び図８に示すように、吸収体２２を全体的に均等に伸長させつつ、吸収体２２の伸長範囲をより長くすることができるため、かかる吸収体２２を備えた生理用ナプキン１は、着用者の動作等が大きいような場合でも、前記吸収本体部２に加わる力を十分に緩衝することができ、それにより、良好な吸収性能を維持しつつ、前記吸収本体部２を確実に着用者の肌面に密着させることができる。
【００７０】
本発明の吸収性物品において、前記複数のスリット部の配置態様は、前記後方側領域の捩じりトルク値が小さく（８ｍＮよりも小さく）なるように構成されている限り、上述の実施形態の態様に限定されず、例えば、前記複数のスリット部は、所定数のスリット部が存在するスリット部存在領域が、碁盤の目状に設けられたスリット部非存在領域に囲まれた領域の各々に配置されていてもよく、長手方向Ｌ又は幅方向Ｗに沿って複数本設けられたストライプ状のスリット部非存在領域の、各スリット部非存在領域の間に挟まれた領域の各々に配置されていてもよい。
さらに、前記複数のスリット部は、前記伸長領域の全域に亘って所定のパターンを以て配置されていてもよく、このような配置形態を採用する場合は、複数のスリット部が前記吸収体の幅方向Ｗの全長に亘って一直線上に並ばないように配置することが好ましい。複数のスリット部をこのように配置すると、一直線上に並ぶ複数のスリット部がミシン目の切り取り線のように作用して吸収体が裂けるというようなことを防ぐことができる。
【００７１】
また、本実施形態に係る生理用ナプキン１において、スリット部Ｓは、図６等に示すように、平面視にて幅方向Ｗに延びる略直線状の貫通孔として形成されているが、本発明の吸収性物品においてはこのような態様に限定されず、スリット部は、本発明の効果を損なわない範囲内で、任意の平面視形状を有していてもよい。そのようなスリット部の平面視形状としては、例えば、円弧状、Ｖ字形、波形、ジグザグ形等の形状が挙げられる。
【００７２】
本実施形態に係る生理用ナプキン１において、前記吸収本体部２の幅方向Ｗに延びるスリット部Ｓの長さ（すなわち、スリット部の幅方向長さ）は、前記後方側領域の捩じりトルク値が小さく（８ｍＮよりも小さく）なるように構成されている限り特に制限されないが、好ましくは３ｍｍ〜５０ｍｍの範囲内であり、更に好ましくは５ｍｍ〜１５ｍｍの範囲内である。スリット部の長さが３ｍｍ以上であると、吸収本体部の伸長領域を上述の捩じれる方向に更に変形しやすくすることができるとともに、前記伸長領域を十分に長手方向Ｌに伸長させることができ、さらには、吸収体乃至吸収本体部に適度な柔軟性を付与することができる。また、スリット部の長さが５０ｍｍ以下であると、吸収体が幅方向Ｗの外方側などから力を受けた際に、スリット部が開口して裂けてしまうというようなことが起こりにくく、吸収性物品として良好な耐久性を確保することができる。
【００７３】
本発明において、吸収体に複数のスリット部を形成する手段は、特に制限されず、任意の切断手段を採用することができる。例えば、複数のスリット部を有する吸収体は、任意の製造方法により製造された吸収体の前駆体を、ベルトコンベア等の搬送手段によって前記前駆体の長手方向又は幅方向に搬送しながら、前記前駆体の上面に、回転する切断ロールの周面上に設けられた複数の切断刃を押し当てて貫通させることにより、製造することができる。なお、切断ロールの切断刃の配置を適宜調節することにより、複数のスリット部を所定の配置形態で吸収体に形成することができる。
【００７４】
次に、本実施形態に係る生理用ナプキン１において、前記吸収本体部２の長手方向Ｌの両側に延在する、一対の略台形状のフラップ部３、３’について、更に詳細に説明する。
上述したように、前記一対のフラップ部３、３’は、前記吸収本体部２から幅方向Ｗに延出された表面シート２１と、前記吸収本体部２から幅方向Ｗに延出された裏面シート２３とによって構成されていて、各フラップ部３、３’の非肌面側の表面（すなわち、裏面シート２３の非肌面側の表面）には、図１、図２及び図４に示すように、長手方向Ｌに延びる略矩形状の着衣固定用の粘着部４、４’が設けられている。
そして、本実施形態に係る生理用ナプキン１においては、この一対の粘着部４、４’の長手方向Ｌにおける両端部７、８、７’、８’のうち、前記前方側端縁部５に対して近位側に位置する一対の第１端部７、７’を含む第１仮想直線Ｌ１と、前記後方側端縁部６に対して近位側に位置する一対の第２端部８、８’を含む第２仮想直線Ｌ２との間に延在する領域が、着用者の排泄口に対応する（或いは接触する）領域、すなわち、排泄口対応領域Ａ２となるように構成されている。
したがって、本発明の吸収性物品では、前記フラップ部における一対の粘着部は、吸収性物品の種類や用途、着用対象者の種類、排泄口の位置、着衣への固定性等を考慮した任意の寸法形状で、各フラップ部の非肌面側の表面に配置される。上述の実施形態に係る生理用ナプキン１の場合、前記フラップ部３、３’における一対の粘着部４、４’は、例えば、長手方向Ｌの長さが１０ｍｍ〜１５０ｍｍの範囲内、幅方向Ｗの長さが５ｍｍ〜５０ｍｍの範囲内である略矩形状の平面視形状を有する態様で、各フラップ部３、３’の非肌面側の表面に配置されている。
【００７５】
なお、本発明の吸収性物品において、一対のフラップ部における着衣固定用の粘着部を形成する粘着剤は、特に制限されず、上述の吸収本体部における着衣固定用粘着部の粘着剤と同様に、スチレン系ポリマー等を含む任意の粘着剤を用いることができる。
【００７６】
また、本実施形態に係る生理用ナプキン１において、前記一対のフラップ部３、３’は、図１及び図４に示すように、平面視にて、前記吸収本体部２から幅方向Ｗに延出された表面シート２１と、前記吸収本体部２から幅方向Ｗに延出された裏面シート２３とによって構成された、一対の略台形状の平面視形状を有しているが、本発明の吸収性物品において、前記一対のフラップ部の形態は、このような形態に限定されず、前記一対のフラップ部は、例えば、平面視形状が上述の略台形状以外の形状（例えば、矩形状、半楕円状、所定のデザイン形状等）で形成されていてもよく、また、前記吸収本体部とは異なるシート状部材（すなわち、本体部を構成する表面シート及び裏面シートとは異なるシート状部材）によって構成されていてもよい。
なお、このような一対のフラップ部は、本発明の吸収性物品においては必須の構成要素ではなく、本発明の吸収性物品は、当該吸収性物品の種類や用途等に応じて、前記一対のフラップ部を有しないように（すなわち、吸収本体部のみから）構成されていてもよい。
【００７７】
以下、本実施形態に係る生理用ナプキン１において、前記吸収本体部２及び前記一対のフラップ部３、３’を構成する表面シート２１及び裏面シート２３について、更に詳細に説明する。
【００７８】
本実施形態に係る生理用ナプキン１において、表面シート２１は、図１、図３及び図４に示すように、生理用ナプキン１の厚さ方向Ｔの肌面側において、生理用ナプキン１の長手方向Ｌに延びる幅方向中央軸線ＣL上に配置されていて、着用者の肌面に直に接触し得る液透過性のシート部材によって構成されている。このような表面シート２１を構成する液透過性のシート部材は、特に制限されず、例えば、セルロース繊維や親水化処理を施した熱可塑性樹脂繊維等を用いて形成されたエアスルー不織布等の任意の不織布などを好適に用いることができる。
【００７９】
中でも、本発明の吸収性物品の表面シートとして用いられるシート部材は、前記吸収本体部の少なくとも前記伸長領域に対応する領域が少なくとも長手方向Ｌに伸長可能となるように構成された不織布を用いることが好ましい。そのような不織布としては、例えば、前記吸収本体部の伸長領域に対応する領域が伸長可能な弾性繊維によって構成された不織布や、前記吸収本体部の伸長領域に対応する領域が後述する伸長可能な凹凸構造によって構成された不織布などが挙げられる。
このような不織布を表面シートに用いることによって、前記吸収本体部の伸長領域が、着用者の動きに合わせてより一層変形しやすくなるため、当該領域が着用者の肌面に密着した状態を、より確実に実現することができるとともに、吸収性物品の後方側領域に掛かる、上述の捩じれる方向の力が、前記排泄口対応領域に更に伝達しにくくなる。
【００８０】
また、本発明の吸収性物品において、表面シートは、後述する裏面シートに比べて、より高い伸長性を有している（すなわち、裏面シートに比べて、より小さい力で伸長させることができる）ことが好ましい。表面シートが裏面シートに比べてより高い伸長性を有していると、伸長変形後の収縮時において、表面シートが裏面シートよりも収縮しやすくなるため、吸収性物品が、表面シート側の表面が窪んだ構造（いわゆる、カップ状の構造）に変形しやすく、着用者の身体形状や下着（特に、ショーツ）の形状に沿わせやすくなる。
【００８１】
なお、本発明の吸収性物品において、表面シートの寸法形状は、当該表面シートの非肌面側に配置される吸収体の肌面側表面の全面を被覆することができるものであれば、特に制限されず、吸収性物品の着用対象者の大きさや性別、用途などに応じて、任意の寸法形状を採用することができる。さらに、表面シートの厚みについても、特に制限されず、例えば、０．００１ｍｍ〜５．０ｍｍの範囲内の厚みを採用することができるが、液透過性、クッション性、肌触りなどの観点から、好ましくは０．０１ｍｍ〜３．０ｍｍの範囲内であり、更に好ましくは０．１ｍｍ〜１．０ｍｍの範囲内である。
【００８２】
本発明の吸収性物品において、表面シートの構造は、特に制限されず、例えば、肌面側及び非肌面側の両面が共に略平坦な構造を有していてもよいが、前記表面シートは、前記吸収本体部の少なくとも前記伸長領域に対応する領域が、伸長可能な凹凸構造を有していることが好ましい。このような伸長可能な凹凸構造としては、例えば、平面視にて、表面シートの幅方向Ｗに延び且つ長手方向Ｌに所定間隔で並ぶ複数本の直線状の凸条部と、隣り合う凸条部の間に位置し且つ表面シートの幅方向Ｗに延びる複数本の直線状の凹溝部とによって構成された、長手方向Ｌに沿った断面形状が略波形状となる（すなわち、凸条部の内部が空洞となる）凹凸構造などが挙げられる。ここで、前記凸条部は、前記表面シートの厚さ方向Ｔにおいて、前記表面シートの肌面側の表面が肌面側に突出した構造を有し、前記凹溝部は、前記表面シートの厚さ方向Ｔにおいて、前記表面シートの肌面側の表面が非肌面側に窪んだ構造を有する。
【００８３】
このような伸長可能な凹凸構造を有する不織布を吸収性物品の表面シートに用いると、前記吸収本体部の伸長領域が、着用者の動きに合わせてより一層変形しやすくなるため、当該領域が着用者の肌面に密着した状態を、より確実に実現することができる（すなわち、吸収性物品の着用感を更に向上させることができる）とともに、吸収性物品の後方側領域に掛かる、上述の捩じれる方向の力が、前記排泄口対応領域に更に伝達しにくくなる。
【００８４】
また、上述の伸長可能な凹凸構造において、凸条部の高さ（すなわち、凸条部の頂部を含む水平面と凹溝部の底部を含む水平面との間の距離）は、特に制限されず、例えば、０．１ｍｍ〜１．２ｍｍの範囲内の高さを採用することができるが、伸長性や肌触り、クッション性等の観点から、好ましくは０．２ｍｍ〜１．０ｍｍの範囲内であり、更に好ましくは０．４ｍｍ〜０．８ｍｍの範囲内である。
なお、凸条部の高さは、レーザー変位計（例えば、キーエンス株式会社製  高精度２次元レーザー変位計ＬＪ−Ｇシリーズ（型式：ＬＪ−Ｇ０３０））を使用して、次のように非接触方式で測定することができる。１００ｍｍ×１００ｍｍのサイズに切り出した表面シートのサンプルを水平な測定台の上に載置し、異なる５つの凸条部について、測定台からの変位をレーザー変位計で測定し、５つの測定値の平均値を凸条部の厚み（ｍｍ）とする。同様に、異なる５つの凹溝部について、測定台からの変位をレーザー変位計で測定し、５つの測定値の平均値を凹溝部の厚み（ｍｍ）とする。前記凸条部の厚み（ｍｍ）と前記凹溝部の厚み（ｍｍ）との差から、凸条部の高さ（ｍｍ）を算出する。
【００８５】
さらに、上述の伸長可能な凹凸構造のピッチ（すなわち、隣り合う２本の凸条部の頂部中心（稜線）同士の間隔（ｍｍ））についても、特に制限されず、例えば、０．５ｍｍ〜５．０ｍｍの範囲内のピッチを採用することができるが、伸長性や肌触り等の観点から、好ましくは１．０ｍｍ〜４．０ｍｍの範囲内である。
なお、この凹凸構造のピッチは、無加圧状態における表面シートの平面写真又は平面画像に基づいて、隣り合う２本の凸条部の頂部中心（稜線）同士の間隔（ｍｍ）として測定することができる。
【００８６】
本発明の吸収性物品において、表面シートの構造として採用し得る伸長可能な凹凸構造は、上述の態様に限定されず、例えば、上述の凹凸構造の凸条部及び凹溝部が、平面視にて、部分的に吸収性物品の幅方向Ｗ以外の方向（例えば、吸収性物品の幅方向Ｗから所定角度傾いた方向など）に延在する態様や、少なくとも部分的に方向を変化させながら（例えば、波状やジグザグ状など）延在する態様、少なくとも部分的に吸収性物品の幅方向Ｗに非連続的（すなわち、断続的）に延在する態様、少なくとも部分的に隣り合う２本の凸条部の間隔が一定ではない態様、特許第５８２９３４９号公報や特許第５８２９３２６号公報に開示されているような複数の凸部（畝部）と、複数の凹部を有する溝部とによって構成された態様、或いは、これらの態様の２つ以上の態様を任意に組み合わせた態様などを採用することができる。
このように凸条部及び凹溝部の延在する方向や形態を適宜設定することによって、前記吸収本体部の伸長領域の変形の態様などを任意に調節することができ、着用者の多様な行動パターンに対応した製品設計を実現することができる。
【００８７】
表面シートに上述のような伸長可能な凹凸構造を形成する方法は、特に制限されず、例えば、繊維ウェブに連続的に気体（通常はエア）を吹き付けることによって断面形状が波形の凹凸構造を形成する方法や、真空成形を利用する方法、ギア延伸を利用する方法、熱伸長性繊維の熱伸長及び／又は熱収縮性繊維の熱収縮を利用する方法などの任意の方法を採用することができる。
【００８８】
本実施形態に係る生理用ナプキン１において、裏面シート２３は、図１〜図４に示すように、生理用ナプキン１の厚さ方向Ｔの非肌面側において、生理用ナプキン１の長手方向Ｌに延びる幅方向中央軸線ＣL上に配置されていて、着用者から排出された経血等の排泄液の漏洩を防ぐ液不透過性のシート部材によって構成されている。このような裏面シート２３を構成する液不透過性のシート部材は、特に制限されず、例えば、通気性を有するポリエチレンやポリプロピレン等の樹脂フィルム、該樹脂フィルムに不織布を貼り合わせた積層体などを好適に用いることができる。
【００８９】
中でも、本発明の吸収性物品の裏面シートとして用いられるシート部材は、前記吸収本体部の少なくとも前記伸長領域に対応する領域が少なくとも長手方向Ｌに伸長可能となるように構成された液不透過性のシート部材を用いることが好ましい。そのようなシート部材としては、例えば、前記吸収本体部の少なくとも前記伸長領域に対応する領域が伸長可能な弾性材料によって構成されたシート部材や、前記吸収本体部の伸長領域に対応する領域が後述する伸長可能な蛇腹構造によって構成されたシート部材などが挙げられる。
このようなシート部材を裏面シートに用いることで、シート部材の液不透過性という特性によって着用者の排泄液に対する防漏性を確保しつつ、上述の伸長可能な構成（蛇腹構造等）によって前記吸収本体部の伸長領域が、着用者の動きに合わせてより一層変形しやすくなるため、当該領域が着用者の肌面に密着した状態を、より確実に実現することができる（すなわち、吸収性物品の着用感を更に向上させることができる）とともに、吸収性物品の後方側領域に掛かる、上述の捩じれる方向の力が、前記排泄口対応領域に更に伝達しにくくなる。
【００９０】
なお、本発明の吸収性物品において、裏面シートの寸法形状は、着用者から排出された排泄液の漏洩を防ぐことができるものであれば、特に制限されず、吸収性物品の着用対象者の大きさや性別、用途などに応じて、任意の寸法形状を採用することができる。さらに、裏面シートの厚みについても、特に制限されず、例えば、０．００１ｍｍ〜５．０ｍｍの範囲内の厚みを採用することができるが、液不透過性や柔軟性、通気性などの観点から、好ましくは０．００３ｍｍ〜３．０ｍｍの範囲内であり、更に好ましくは０．０１ｍｍ〜１．０ｍｍの範囲内である。
【００９１】
また、本発明の吸収性物品において、裏面シートの構造は、特に制限されず、例えば、肌面側及び非肌面側の両面が共に略平坦な構造を有していてもよいが、前記裏面シートは、図２及び図３に示す本実施形態に係る生理用ナプキン１の裏面シート２３のように、前記吸収本体部の少なくとも前記伸長領域において前記吸収本体部の長手方向Ｌに延在する蛇腹構造を有していることが好ましい。
【００９２】
本実施形態に係る生理用ナプキン１おいて、前記裏面シート２３に形成された蛇腹構造Ｂは、図２及び図３に示すように、平面視にて、前記裏面シート２３の幅方向Ｗに延び且つ長手方向Ｌに所定間隔で並ぶ複数本の直線状の凸部Ｂ１と、隣り合う凸部Ｂ１の間に位置し且つ裏面シート２３の幅方向Ｗに延びる複数本の直線状の溝部Ｂ２とによって構成されていて、長手方向Ｌに沿った断面形状が略ジグザグ状の形状となっている。ここで、前記凸部Ｂ１は、前記裏面シート２３の厚さ方向Ｔにおいて、前記裏面シート２３の肌面側の表面が肌面側に突出した構造を有し、前記溝部Ｂ２は、前記裏面シート２３の厚さ方向Ｔにおいて、前記裏面シート２３の肌面側の表面が非肌面側に窪んだ構造を有している。
【００９３】
このように液不透過性の裏面シート２３が前記吸収本体部２の伸長領域において蛇腹構造Ｂを有していると、裏面シート２３の液不透過性という特性によって着用者の排泄液に対する防漏性を確保しつつ、伸長可能な蛇腹構造Ｂによって前記吸収本体部２の伸長領域の長手方向Ｌにおける伸長性をより確実に得ることができるため、当該領域が着用者の肌面に密着した状態を、より確実に実現することができる（すなわち、吸収性物品の着用感を更に確実に向上させることができる）とともに、吸収性物品の後方側領域に掛かる、上述の捩じれる方向の力が、前記排泄口対応領域に更に伝達しにくくなる。
【００９４】
加えて、吸収体２２に上述の複数のスリット部Ｓが形成されている本実施形態のような場合は、通常、着用者から排出された経血等の排泄液がスリット部Ｓを介して裏面シート２３に到達しやすくなるが、裏面シート２３に上述のような蛇腹構造Ｂが形成されていると、前記裏面シート２３に到達した排泄液を蛇腹構造Ｂの幅方向に延びる溝部Ｂ２に沿って前記幅方向Ｗに拡散させることができるため、着用者から排出された排泄液が前記スリット部Ｓを介して裏面シート２３に到達したとしても、当該排泄液を、前記裏面シート２３において幅方向Ｗに拡散させつつ、前記吸収体２２の非肌面側表面の広範囲の箇所から吸収させることができる。
【００９５】
さらに、前記裏面シート２３が上述のような蛇腹構造Ｂを有していると、吸収性物品の厚さ方向Ｔにおいて柔軟性やクッション性等を付与することができるため、当該吸収性物品の着用感を更に向上させることができる。
また、裏面シート２３が前記吸収本体部２の伸長領域において蛇腹構造Ｂを有していると、当該領域が伸長可能な部分であることを視認しやすいため、着用者や需要者等に対して、本発明の吸収性物品が伸長性やフィット性、柔軟性等に特に優れた製品であることを認識させやすいという利点もある。
【００９６】
上述の蛇腹構造において、凸部の高さ（すなわち、凸部の頂部を含む水平面と溝部の底部（最深部）を含む水平面との間の距離）は、特に制限されず、例えば、０．１ｍｍ〜１．２ｍｍの範囲内の高さを採用することができるが、伸長性やクッション性、液の拡散性等の観点から、好ましくは０．２ｍｍ〜１．０ｍｍの範囲内であり、更に好ましくは０．４ｍｍ〜０．８ｍｍの範囲内である。
なお、前記凸部の高さは、上述の表面シートにおける伸長可能な凹凸構造の凸条部の高さと同様にして測定することができる。
【００９７】
さらに、上述の蛇腹構造のピッチ（すなわち、隣り合う２本の凸部の頂部中心（稜線）同士の間隔（ｍｍ））についても、特に制限されず、例えば、０．５ｍｍ〜５．０ｍｍの範囲内のピッチを採用することができるが、伸長性やクッション性、液の拡散性等の観点から、好ましくは１．０ｍｍ〜４．０ｍｍの範囲内である。
なお、この蛇腹構造のピッチは、無加圧状態における裏面シートの平面写真又は平面画像に基づいて、隣り合う２本の凸部の頂部中心（稜線）同士の間隔（ｍｍ）として測定することができる。
【００９８】
本発明の吸収性物品において、裏面シートの構造として採用し得る蛇腹構造は、上述の態様に限定されず、例えば、上述の蛇腹構造の凸部及び溝部が、平面視にて、少なくとも部分的に吸収性物品の幅方向Ｗ以外の方向（例えば、吸収性物品の幅方向Ｗから所定角度傾いた方向など）に延在する態様や、少なくとも部分的に方向を変化させながら（例えば、波状やジグザグ状など）延在する態様、少なくとも部分的に吸収性物品の幅方向Ｗに非連続的（すなわち、断続的）に延在する態様、少なくとも部分的に隣り合う２本の凸部の間隔が一定ではない態様、或いは、これらの態様の２つ以上の態様を任意に組み合わせた態様などを採用することができる。
このように凸部及び溝部の延在する方向や形態を適宜設定することによって、前記吸収本体部における伸長領域の変形の態様などを任意に調節することができ、着用者の多様な行動パターンに対応した製品設計を実現することができる。
【００９９】
裏面シートに上述のような蛇腹構造を形成する方法は、特に制限されず、例えば、真空成形を利用する方法やギア延伸を利用する方法などの任意の方法を採用することができる。
【０１００】
また、本発明の吸収性物品において、前記裏面シートの低伸長領域における構造は、特に制限されないが、前記裏面シートは、図２及び図３に示す本実施形態に係る生理用ナプキン１の裏面シート２３のように、前記吸収本体部の低伸長領域において、肌面側及び非肌面側の両面が共に略平坦な構造を有していることが好ましい。
裏面シートが、前記吸収本体部の低伸長領域（特に、少なくとも前記排泄口対応領域における低伸長領域）において、略平坦な構造を有している（すなわち、折れ起点となり得る構造的要素を有していない）と、当該低伸長領域における本体部の形状が更に維持されやすくなるため、着用者から排出された排泄液をより安定的に吸収することができる。
【０１０１】
なお、本実施形態に係る生理用ナプキン１において、上述の表面シート２１及び裏面シート２３は、吸収体２２を間に挟んだ状態で、各シートの外周端縁部が、接着剤、ヒートシール、超音波接合等の任意の接合手段によって互いに接合されている。
【０１０２】
本発明において、吸収性物品の構成は、上述の実施形態に限定されず、例えば、表面シートと吸収体との間及び／又は吸収体と裏面シートとの間に、排泄液を拡散するための補助シート等を備えていてもよい。
このように、本発明の吸収性物品は、上述した実施形態に制限されることなく、本発明の目的、趣旨を逸脱しない範囲内において、適宜組み合わせや変更等が可能である。
【０１０３】
また、本発明は、上述した実施形態の生理用ナプキンのほかに、例えば、パンティライナー、（軽）失禁パッド等の様々な吸収性物品に適用することができる。なお、本明細書において、「第１」、「第２」等の序数は、当該序数が付された事項を区別するためのものであり、各事項の順序や優先度、重要度等を意味するものではない。
【実施例】
【０１０４】
以下、実施例及び比較例を例示して本発明を更に具体的に説明するが、本発明はこのような実施例のみに限定されるものではない。
【０１０５】
実施例１
パルプ（坪量：１５０±５０ｇ／ｍ2）と、高吸収性ポリマー（坪量：３０±１０ｇ／ｍ2）とを混合し、サクションドラムの成形用凹部に供給して、２２０ｍｍ×７０ｍｍ×５ｍｍ（長手方向長さ×幅方向長さ×厚み）のサイズの吸収コアを得た。
得られた吸収コアを、ホットメルト型の接着剤を間に挟んで、被覆シート（コアラップ）としての２枚の不織布（肌面側：坪量２５ｇ／ｍ2のエアスルー不織布、非肌面側：坪量１０ｇ／ｍ２のＳＭＳ不織布）及び１枚の伸長性シート（坪量３５ｇ／ｍ２、幅７０ｍｍの伸縮性シートを、吸収体の非肌面側の、フラップ部の後方部と、吸収体の後方側端縁部から１０ｍｍ前方側の位置との間に配置）で被覆し、吸収体の前駆体を得た。
次いで、得られた吸収体の前駆体を油圧プレス機でプレスすることにより、吸収体の前駆体の厚さを２〜４ｍｍに調整した後、吸収体の前駆体を当該前駆体の長手方向が搬送方向に直交するように（いわゆる、横流しの態様で）搬送しながら、当該前駆体に、切断ロールの周面に設けられた切断刃を貫通させて複数のスリット部を形成することにより、長手方向に伸長可能な吸収体（坪量１５０±５０ｇ／ｍ2、（長手方向）２２０ｍｍ×（幅方向）７０ｍｍ×（厚み）２〜３ｍｍ）を製造した。なお、吸収体に設けられた複数のスリット部のパターン（各スリット部の配置位置）や数は、図６に示す吸収体２２と同様にし、スリット部の幅方向長さは、８ｍｍとした。
【０１０６】
このようにして製造した吸収体の一方の面（肌面側の面）に、長手方向に伸長可能な表面シートとして、長手方向に沿った断面形状が波形となる凹凸構造が形成された液透過性の不織布（坪量３０ｇ／ｍ2、ピッチ：１．５ｍｍ、凹溝部の厚み：０．５〜１．５ｍｍ）を貼り付け、他方の面（非肌面側の面）に、部分的に長手方向に伸長可能な裏面シートとして、後方側領域及び排泄口対応領域の一部に対応する領域に蛇腹構造が形成された液不透過性のポリエチレンシート（凸部の高さ：０．１〜０．３ｍｍ、ピッチ：１．７ｍｍ、凹溝部の厚み：０．５〜１．５ｍｍ）を貼り付けた後、所定の平面視形状となるように周縁部近傍を切断することにより、実施例１の吸収性物品（生理用ナプキン、製品長（前方側端縁部及び後方側端縁部の間の長さ）：２５０ｍｍ、吸収本体部の幅方向長さ：１５０ｍｍ）を製造した。
【０１０７】
実施例２
長手方向に伸長可能な吸収体について、製品長を３７０ｍｍとしたこと以外は、実施例１と同様にして実施例２の吸収性物品を製造した。
【０１０８】
比較例１
吸収体にスリット部を形成しなかったこと、表面シートとして凹凸構造が形成されていない液透過性の不織布を用いたこと、及び裏面シートして蛇腹構造が形成されていない液不透過性のポリエチレンシートを用いたこと以外は、実施例１と同様にして比較例１の吸収性物品を製造した。
【０１０９】
比較例２
吸収体の後方側領域に対応する領域に、幅方向に延びるスリット部（幅方向長さ：８ｍｍ）を長手方向に沿って５本形成したこと、表面シートとして凹凸構造が形成されていない液透過性の不織布を用いたこと、及び裏面シートして蛇腹構造が形成されていない液不透過性のポリエチレンシートを用いたこと以外は、実施例１と同様にして比較例２の吸収性物品を製造した。
【０１１０】
比較例３
吸収体にスリット部が形成されていないこと、該吸収体を吸収本体部の排泄口対応領域のみに配置したこと、表面シートとして凹凸構造が形成されていない液透過性の不織布を用いたこと、及び裏面シートして蛇腹構造が形成されていない液不透過性のポリエチレンシートを用いたこと以外は、実施例２と同様にして比較例３の吸収性物品を製造した。
【０１１１】
製造した実施例１、２及び比較例１〜３の吸収性物品について、以下に示す各方法に従って、排泄口対応領域及び後方側領域の各領域における捩じりトルク値の測定と、吸収性物品の着用直後及び着用中における着用感の評価を行い、吸収性物品の各領域における捩じれやすさ及び着用感を評価した。その結果を表１に示す。
【０１１２】
＜捩じりトルク値の測定方法＞
（１）測定対象の吸収性物品を、幅方向に延びる長手方向中央軸線（すなわち、吸収性物品の長手方向長さを２等分する線)に沿って切断し、吸収性物品の前方側半分の測定用サンプルと吸収性物品の後方側半分の測定用サンプルを得る。
得られた各測定用サンプルは、吸収性物品の前方側半分の測定用サンプルを「排泄口対応領域測定用サンプル」とし、吸収性物品の後方側半分のサンプルを「後方側領域測定用サンプル」とする。
（２）各測定用サンプルに、吸収コアの幅方向に延びる長手方向中央軸線に沿った補助線（ａ）と、吸収コアの長手方向に延びる幅方向中央軸線に沿った補助線（ｂ）を描く。
（３）測定機器として、イマダ株式会社製のトルク試験機（トルクゲージ）を準備し、該トルク試験機のサンプル保持用の上下一対のチャック（幅８５ｍｍ）に、図９に示す模式図のように、測定用サンプルをセットする。このとき、上下一対のチャックの間隔（チャック間距離）を７０ｍｍとして、当該チャック間距離の中間位置に上記補助線（ａ）が合致し、且つ上記チャックの幅方向の中心位置に上記補助線（ｂ）が合致するように、測定用サンプルをセットする。なお、図９において、符号１００は測定用サンプルを示し、符号Ｃはチャックを示す。
（４）保持力として測定用サンプルに掛かる力が１．４Ｎとなるように、上方側のチャックのみを動かして、測定用サンプルに一定のテンションを掛ける。なお、上下一対のチャックの初期状態は、互いに平行である。
（５）このテンションを掛けた状態から、上方側のチャックを水平方向に３０ｒｐｍの速度で回転させ、上方側のチャックが初期状態から２０°回転したときのトルク値を測定する。なお、上方側のチャックの回転は、５０°まで行う。
（６）次に、上方側のチャックを反対方向に同速度（３０ｒｐｍ）で回転させ、上方側のチャックが上述の初期状態を過ぎて、更に反対方向に２０°回転したときのトルク値を測定する。
（７）測定した各トルク値の平均値を、測定用サンプルの「捩じりトルク値」とする。
なお、本測定は、１０個の吸収性物品（すなわち、それぞれ１０個の排泄口対応領域測定用サンプル及び後方側領域測定用サンプル）について行い、その平均値を吸収性物品の「捩じりトルク値」とする。
【０１１３】
＜着用感の評価方法＞
（１）実施例１、２及び比較例１〜３の吸収性物品を、普段からナプキンやパンティライナ―を使用している３０人の被験者に着用してもらい、着用直後の前方側領域（排泄口対応領域）及び後方側領域の各領域における装着感や着用感、付け心地について、以下の評価基準に従ってアンケートを実施した。
（２）実施例１、２及び比較例１〜３の吸収性物品を、上述の３０人の被験者に着用してもらい、着用してから３時間経過後（すなわち、着用中）の前方側領域（排泄口対応領域）及び後方側領域の各領域における装着感や着用感、付け心地について、以下の評価基準に従ってアンケートを実施した。
さらに、上記各領域におけるアンケート結果から３０人の被験者の平均値を求め、該平均値を以下の着用感評価判定基準により判定した。なお、表中の総合評価は、上記各領域における平均値を合計した平均値を、以下の着用感評価判定基準により判定したものである。
（評価基準）
１点：異物感や違和感等がなく、着用感が快適である
２点：異物感や違和感等がほとんどなく、着用感が良好である
３点：異物感や違和感等が若干あり、着用感が普通である
４点：異物感や違和感等があり、着用感が良好でない
５点：異物感や違和感等がかなりあり、着用感が不快である
（着用感評価判定基準）
◎（快適）：  平均値が２．０以下
○（良好）：  平均値が２．１以上、３．０以下
△（普通）：  平均値が３．１以上、４．０以下
×（不快）：  平均値が４．１以上
【０１１４】
【表１】
2017225902.tif 000003
【０１１５】
表１に示すように、実施例１及び２の吸収性物品は、排泄液の漏洩や液戻りがなく、吸収性物品としての高い吸収性能を維持しつつも、優れた着用感が得られた。一方、比較例１〜３の吸収性物品は、いずれも着用感に劣るものであった。
【符号の説明】
【０１１６】
１    生理用ナプキン（吸収性物品）
２    吸収本体部
２１    表面シート
２２    吸収体
２３    裏面シート
３、３’    フラップ部
４、４’    粘着部
５    前方側端縁部
６    後方側端縁部
【図１】
2017225902.tif 000004
【図２】
2017225902.tif 000005
【図３】
2017225902.tif 000006
【図４】
2017225902.tif 000007
【図５】
2017225902.tif 000008
【図６】
2017225902.tif 000009
【図７】
2017225902.tif 000010
【図８】
2017225902.tif 000011
【図９】
2017225902.tif 000012